(57)【要約】【課題】  主に火傷を負った患部を冷却する場合に使用され、長時間の使用ができる患部冷却具を提供する。【解決手段】  患部を挿入する内袋１２と、内袋を包む外袋１３と、内袋と外袋との隙間につながる注入口１１と、を有し、前記隙間は、前記注入口を除き内袋と外袋の互いの口部分同士を結合することにより、前記注入口を封止すれば密閉される構造であって、前記注入口から前記隙間に充填された水や氷によって、内袋に挿入した患部を冷却することができることを特徴とする。患部が手の場合は、内袋１２の形状は、第一指を入れる部分１２ａと第二指から第五指を入れる部分１２ｂとに分かれた形状にすることができる。【選択図】  図１
2010057857.tif 000002
【特許請求の範囲】
【請求項１】
患部を挿入する内袋と、
前記内袋を包む外袋と、
前記内袋と前記外袋との隙間につながる注入口と、を有し、
前記隙間は、前記注入口を除き前記内袋と前記外袋の互いの口部分同士を結合することにより、前記注入口を封止すれば密閉される構造であって、
前記注入口から前記隙間に水や氷を充填し封止することによって、前記内袋に挿入した患部を冷却することができることを特徴とする患部冷却具。
【請求項２】
前記注入口が、結ぶことができる長さであることを特徴とする請求項１に記載の患部冷却具。
【請求項３】
前記注入口が、封止材により封止することができる構造であることを特徴とする請求項１に記載の患部冷却具。
【請求項４】
患部を挿入する内袋と、
前記内袋を包む外袋と、
前記内袋と前記外袋との隙間に充填された保冷剤と、を有し、
前記隙間は、前記内袋と前記外袋の互いの口部分同士を結合して密閉された構造であって、
前記内袋に挿入した患部を冷却することができることを特徴とする患部冷却具。
【請求項５】
前記患部が手であって、前記内袋の形状が、第一指を入れる部分と第二指から第五指を入れる部分とに分かれていることを特徴とする請求項１から４のいずれかに記載の患部冷却具。
【発明の詳細な説明】
【技術分野】
【０００１】
本発明は、火傷等の患部を冷やすための患部冷却具に関する。
【背景技術】
【０００２】
発熱のときに頭を冷やすために、氷嚢や保冷剤、最近では冷却シートといった冷却具が広く用いられている。これらの冷却具は、頭の下に敷いたり、額の上に載せて用いられたりする。これに対し、火傷し易い箇所は、手、指、腕、足等の動かす部位なので、このような部位を冷やすためには、患部に固定できる冷却具が必要になる。患部に固定できる冷却具の例としては、スポーツ後のアイシングを主な目的としたものがあり、特許文献１（特開平１１−２９０３７３）には、アイスバッグを関節などに固定できるベルトが開示されている。また、特許文献２（特開２００３−２９０２７０）には、関節部分をはじめとする人体に装着して使用される保冷用パッドが開示されている。
【特許文献１】特開平１１−２９０３７３
【特許文献２】特開２００３−２９０２７０
【発明の開示】
【発明が解決しようとする課題】
【０００３】
しかし、これらはスポーツ後のアイシングを主な目的としたものであって、肘や膝等には固定し易いが、最も火傷を負いやすいと考えられる手、指、足等に使用するには、固定し難いため、すぐに外れてしまうおそれがある。したがって、手、指、足等に使用するときは、手で押さえることになり、長時間使用するのは困難である。また、従来のように、火傷を負った患部を水道水などの流水で、痛みがなくなるまで数十分から数時間冷やす最小限の処置の場合も、動くことができないため、長時間冷やすことは困難である。
【０００４】
また、患部に密着させることで冷却効率を上げることができるため、冷却具はある程度軟らかい素材が望ましい。かつての保冷剤は、冷凍室で凍らせると硬化していたが、最近は不凍性のゲルを使用したものもあり、軟らかい状態で使用することができるものもある。しかし、このような保冷剤では、長時間の使用が難しい。なお、患部に直接貼付することができる冷却シートは便利に思えるが、衛生上、火傷には用いることはできないとされている。
【０００５】
そこで本発明は、斯かる実情に鑑み、主に火傷を負った手、指、腕、足等に密着して冷やすことができ、長時間の使用が可能な患部冷却具を提供しようとするものである。
【課題を解決するための手段】
【０００６】
本発明の患部冷却具は、患部を挿入する内袋と、内袋を包む外袋と、内袋と外袋との隙間につながる注入口と、を有し、前記隙間は、前記注入口を除き内袋と外袋の互いの口部分同士を結合することにより、前記注入口を封止すれば密閉される構造であって、前記注入口から前記隙間に水や氷を充填し封止することによって、内袋に挿入した患部を冷却することができることを特徴とするものである。
【０００７】
注入口を封止するために、注入口を結ぶことができる長さにしたり、紐、輪ゴム又は締付金具等の封止材で封止する構造としたりする必要がある。
【０００８】
また、内袋と外袋との隙間に保冷剤を充填し、密閉した構造にすることもできる。
【０００９】
以上の冷却具は、患部が手や指の場合を想定して、内袋の形状が、第一指を入れる部分と第二指から第五指を入れる部分とに分かれている形状にしても良いし、足等の体の部位に合わせた形状にすることもできる。
【発明の効果】
【００１０】
本発明の患部冷却具によれば、簡単に水や氷を取り替えることができるので、長時間の使用が可能であるという優れた効果を奏し得る。
【００１１】
また、形状を第一指を入れる部分と第二指から第五指を入れる部分とに分けたミトン手袋のようにすると、着脱は比較的簡単にも関わらず、もう一方の手で冷却具を押さえておく必要はない。また、指に密着し易いという効果も奏し得る。
【発明を実施するための最良の形態】
【００１２】
図１は、本発明の第１の実施例であり、ミトン手袋の形状にした患部冷却具の全体図である。また、図２（ａ）は図１のＡ−Ａ断面であり、（ｂ）はＢ−Ｂ断面である。注入口１１から内袋１２と外袋１３の間に形成された隙間１７に氷水Ｗを充填し、内袋１２の内部空間１６に患部である手や指を挿入して使用する。内袋１２の先端は第一指を入れる部分１２ａと、第二指から第五指を入れる部分１２ｂとに分かれている。
【００１３】
ここで、指一本毎に分離した手袋の形状とすると、火傷を負った指を挿入するのが困難であり、また、指先まで氷水Ｗが行き渡り難くなると考えられる。それに対し、部分１２ａと部分１２ｂに分割したミトン手袋の形状ならば、手や指を挿入し易く、また、指先まで氷水Ｗが行き渡り易い。さらに、もう一方の手で冷却具を押さえる必要はないので、装着した状態で睡眠をとることも可能である。
【００１４】
材質としては、ポリエチレンや、水枕で使われるようなゴム等、水が不透過の素材でなければならない。なお、指の側面を冷やすことができるように、内袋１２は軟らかい素材が望ましく、外袋１３は丈夫な素材が望ましい。そうすることで指の間の患部も効果的に冷却しつつ、外部からの衝撃で外袋１３が破れるおそれを回避できる。
【００１５】
また、隙間１７に水分を注入することから、内袋１２と外袋１３の全ての結合部分１５を接着剤で張り合わせるだけでは、水漏れが生じるおそれがある。そこで、止水性を向上させるために結合部分１５を熱融着等し、製造することが望ましい。図１及び図２では、内袋１２や外袋１３の外周が結合部分１５となる例を示しているが、内袋１２と外袋１３をそれぞれ射出成形等で一体成形することができる場合は、互いの口部分だけを熱融着等で結合すれば良い。
【００１６】
注入口１１の封止方法としては、注入口１１を長くしておいて結ぶのが簡単である。また、注入口１１を絞って細くして折り返し、封止材１４として紐や輪ゴムで閉じるのも簡単で良い。ただし、材質がゴムで比較的厚いときは、水枕に使用されている締付金具のような封止材１４を使用すると良い。これら以外であっても、水漏れのおそれがない封止材１４であれば使用することができる。
【００１７】
また、本発明では、長時間使用するために水や氷を取り替えることもあるが、家庭の冷蔵庫に十分な量の氷を作り置きしていない場合もある。しかし、最近ではコンビニエンスストア等に行けば容易に氷を購入することができるので、長時間の使用にも対応できると考えられる。
【００１８】
水や氷を注入する患部冷却具１０よりも、長時間の使用や冷却効果には劣るが、内袋１２と外袋１３の隙間１７にあらかじめ保冷剤を充填し密閉した患部冷却具１０も考えられる。このような患部冷却具１０は、注入口１１が不要なので構造が簡単である。また、常に冷凍庫に保存しておけば、必要となったときにすぐに使用することができるという利点がある。火傷は、素早い処置が重要であるので、一家に一つ置いておくだけで安心である。また保冷剤を不凍性の軟らかいゲルにすると、患部との密着性を向上することができ、良好である。
【００１９】
図３は、本発明の第２の実施例であり、ミトン手袋の形状を改良した患部冷却具の全体図である。患部冷却具２０は、指先から肘くらいまでの患部を挿入することができる内袋２２と、内袋を包む外袋２３と、内袋と外袋との隙間につながる注入口２１とを有し、結合部分２５で熱融着等により結合されている。このような患部冷却具２０の形状にすると、手だけでなく、手首から肘にかけての火傷等にも使用することができる。
【００２０】
図４は、本発明の第３の実施例であり、筒形状にした患部冷却具の全体図である。患部冷却具３０は、腕や足を貫通させて使用できるように筒形状にしたものである。患部冷却具３０は、円筒状の内袋３２と、内袋を包む円筒状の外袋３３と、内袋と外袋との隙間につながる注入口３１とを有し、結合部分３５で熱融着等により結合されている。内袋３２と外袋３３とはどちらも円筒状なので、互いの口部分を結合することで、内袋３２の内部に腕等を貫通させることができる筒形状になる。この筒形状であれば、例えば腕を火傷したときに、手を冷やすことなく、患部だけに使用できる。
【００２１】
本発明の患部冷却具は、上記した実施の形状に限定されるものではなく、あらゆる体の部位に合わせた形状に製作することができる。例えば、患部が足の場合は、足にすっぽり被せられる形状の患部冷却具にすることもできる。また、本発明の患部冷却具は、火傷だけでなく、打撲やスポーツ後のアイシングにも使用できる。
【図面の簡単な説明】
【００２２】
【図１】本発明の第１の実施例であり、ミトン手袋の形状にした患部冷却具の全体図である。
【図２】（ａ）は図１のＡ−Ａ断面図であり、（ｂ）はＢ−Ｂ断面図である。
【図３】本発明の第２の実施例であり、ミトン手袋の形状を改良した患部冷却具の全体図である。
【図４】本発明の第３の実施例であり、筒形状にした患部冷却具の全体図である。
【符号の説明】
【００２３】
１０，２０，３０      患部冷却具
１１，２１，３１      注入口
１２，２２，３２      内袋
１３，２３，３３      外袋
１４                  封止材
１５，２５，３５      結合部分
１７                  隙間
Ｗ                    氷水
【図１】
2010057857.tif 000003
【図２】
2010057857.tif 000004
【図３】
2010057857.tif 000005
【図４】
2010057857.tif 000006
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
患部を挿入する柔らかな素材からなる内袋と、
前記内袋を包む外袋と、
前記内袋と前記外袋との隙間につながる注入口と、を有し、
前記隙間は、前記注入口を除き前記内袋と前記外袋の互いの口部分同士を結合することにより、前記注入口を封止すれば密閉される構造であって、
前記注入口から前記隙間に氷水を充填し封止することによって、前記内袋に挿入した患部を冷却することができることを特徴とする火傷の患部冷却具。
【請求項２】
前記注入口が、結ぶことができる長さであることを特徴とする請求項１に記載の火傷の患部冷却具。
【請求項３】
前記注入口が、封止材により封止することができる構造であることを特徴とする請求項
１に記載の火傷の患部冷却具。
【請求項４】
患部を挿入する内袋と、
前記内袋を包む外袋と、
前記内袋と前記外袋との隙間に充填された不凍性の柔らかいゲル状の保冷剤と、を有し、
前記隙間は、前記内袋と前記外袋の互いの口部分同士を結合して密閉された構造であって、
前記内袋に挿入した患部を冷却することができることを特徴とする火傷の患部冷却具。
【請求項５】
前記患部が手であって、前記内袋の形状が、第一指を入れる部分と第二指から第五指を入れる部分とに分かれていることを特徴とする請求項１から４のいずれかに記載の火傷の患部冷却具。
【手続補正３】
【補正対象書類名】明細書
【補正対象項目名】０００５
【補正方法】変更
【補正の内容】
【０００５】
そこで本発明は、斯かる事情に鑑み、火傷を負った手、指、腕、足等に密着して冷やすことができ、長時間の使用が可能な火傷の患部冷却具を提供しようとするものである。
【手続補正４】
【補正対象書類名】明細書
【補正対象項目名】０００６
【補正方法】変更
【補正の内容】
【０００６】
本発明の火傷の患部冷却具は、患部を挿入する柔らかな素材からなる内袋と、内袋を包む外袋と、内袋と外袋との隙間につながる注入口と、を有し、前記隙間は、前記注入口を除き内袋と外袋の互いの口部分同士を結合することにより、前記注入口を封止すれば密閉される構造であって、前記注入口から前記隙間に氷水を充填し封止することによって、内袋に挿入した患部を冷却することができることを特徴とするものである。
【手続補正５】
【補正対象書類名】明細書
【補正対象項目名】０００８
【補正方法】変更
【補正の内容】
【０００８】
また、内袋と外袋との隙間に不凍性の柔らかいゲル状の保冷剤を充填し、密閉した構造にすることもできる。
【手続補正６】
【補正対象書類名】明細書
【補正対象項目名】００１０
【補正方法】変更
【補正の内容】
【００１０】
本発明の火傷の患部冷却具によれば、簡単に氷水を取り替えることができるので、長時間の使用が可能であるという優れた効果を奏し得る。
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
指の間の患部を冷却できるような柔らかな素材からなる患部を挿入する内袋と、
外部からの衝撃で破れない程度に丈夫な素材から形成され、前記内袋を包む外袋と、
前記内袋と前記外袋との隙間につながる注入口と、を有し、
前記内袋の形状が、第一指を入れる部分と第二指から第五指を入れる部分とに分かれており、
前記隙間は、前記注入口を除き前記内袋と前記外袋の互いの口部分同士を結合することにより、前記注入口を封止すれば密閉される構造であって、
前記注入口は、前記内袋の口と同じ側にあり、
前記注入口から前記隙間に氷水を充填し封止することによって、前記内袋に挿入した患部を冷却することができることを特徴とする火傷の患部冷却具。
【請求項２】
前記注入口が、結ぶことができる長さであることを特徴とする請求項１に記載の火傷の患部冷却具。
【請求項３】
前記注入口が、封止材により封止することができる構造であることを特徴とする請求項
１に記載の火傷の患部冷却具。
【手続補正２】
【補正対象書類名】明細書
【補正対象項目名】０００６
【補正方法】変更
【補正の内容】
【０００６】
本発明の火傷の患部冷却具は、指の間の患部を冷却できるような柔らかな素材からなる患部を挿入する内袋と、外部からの衝撃で破れない程度に丈夫な素材から形成され、前記内袋を包む外袋と、前記内袋と前記外袋との隙間につながる注入口と、を有し、前記内袋の形状が、第一指を入れる部分と第二指から第五指を入れる部分とに分かれており、前記隙間は、前記注入口を除き前記内袋と前記外袋の互いの口部分同士を結合することにより、前記注入口を封止すれば密閉される構造であって、前記注入口は、前記内袋の口と同じ側にあり、前記注入口から前記隙間に氷水を充填し封止することによって、前記内袋に挿入した患部を冷却することができることを特徴とするものである。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
本発明の火傷の患部冷却具によれば、簡単に氷水を取り替えることができるので、長時間の使用が可能であるという優れた効果を奏し得る。
【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
指の間の患部を冷却できるような柔らかな素材からなる患部を挿入する内袋と、
外部からの衝撃で破れない程度に丈夫な素材から形成され、前記内袋を包む外袋と、
前記内袋と前記外袋との隙間につながる注入口と、を有し、
前記内袋と外袋の形状が、第一指を入れる部分と第二指から第五指を入れる部分とに分かれており、
前記隙間は、前記注入口を除き前記内袋と前記外袋の互いの口部分同士を結合することにより、前記注入口を封止すれば密閉される構造であって、
前記注入口は、前記内袋の口と同じ側にあって、前記内袋と前記外袋の前記口部の縁を延長して形成され、
前記注入口から前記隙間に氷水を充填し封止することによって、前記内袋に挿入した患部を冷却することができることを特徴とする手の火傷の患部冷却具。
【請求項２】
前記注入口が、結ぶことができる長さであることを特徴とする請求項１に記載の手の火傷の患部冷却具。
【請求項３】
前記注入口が、封止材により封止することができる構造であることを特徴とする請求項１に記載の手の火傷の患部冷却具。
【手続補正３】
【補正対象書類名】明細書
【補正対象項目名】０００５
【補正方法】変更
【補正の内容】
【０００５】
そこで本発明は、斯かる実情に鑑み、主に火傷を負った手、指に密着して冷やすことができ、長時間の使用が可能な患部冷却具を提供しようとするものである。
【手続補正４】
【補正対象書類名】明細書
【補正対象項目名】０００６
【補正方法】変更
【補正の内容】
【０００６】
本発明の手の火傷の患部冷却具は、指の間の患部を冷却できるような柔らかな素材からなる患部を挿入する内袋と、外部からの衝撃で破れない程度に丈夫な素材から形成され、前記内袋を包む外袋と、前記内袋と前記外袋との隙間につながる注入口と、を有し、前記内袋と外袋の形状が、第一指を入れる部分と第二指から第五指を入れる部分とに分かれており、前記隙間は、前記注入口を除き前記内袋と前記外袋の互いの口部分同士を結合することにより、前記注入口を封止すれば密閉される構造であって、前記注入口は、前記内袋の口と同じ側にあって、前記内袋と前記外袋の前記口部の縁を延長して形成され、前記注入口から前記隙間に氷水を充填し封止することによって、前記内袋に挿入した患部を冷却することができることを特徴とするものである。